【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
管理装置と、情報処理装置とが通信する自動設置システムであって、
前記管理装置は、
他の情報処理装置に設定した設定情報ファイルを取得する取得手段と、
前記取得した設定情報ファイルを前記情報処理装置における自動設置処理に用いるために、該設定情報ファイルの編集指示をユーザーから受け付ける受け付け手段と、
前記情報処理装置からの取得要求に応じて、前記編集された設定情報ファイルを応答する応答手段と、を備え、
前記情報処理装置は、
前記管理装置から取得した前記設定情報ファイルを用いて前記自動設置処理を実行する実行手段と、
前記設定情報ファイルに示される各設定項目を前記情報処理装置に設定するか否かの条件を記憶する記憶手段と、
を備え、
前記管理装置から取得した設定情報ファイルが編集されたことを示す情報が該設定情報ファイルに含まれている場合、前記条件によらず、前記設定情報ファイルに示される設定項目のいずれもが前記情報処理装置に設定されることを特徴とする自動設置システム。
【請求項２】
管理装置と、情報処理装置とが通信する自動設置システムであって、
前記管理装置は、
他の情報処理装置に設定した設定情報ファイルを取得して、前記情報処理装置が自ら設定する特定の項目を指定可能な設定情報ファイルを編集する編集手段と、
前記編集手段が編集した前記設定情報ファイルから、前記情報処理装置が実行する自動設定手順を記述した指示書を作成する作成手段と、
前記情報処理装置が前記指示書を実行することに応じて、当該情報処理装置から受け取る取得要求で特定される設定情報ファイルを応答する応答手段と、を備え、
前記情報処理装置は、
前記管理装置から取得する前記指示書を解析して自動設置処理を実行する実行手段と、
前記実行手段が解析する前記指示書で特定される設定情報ファイルを前記管理装置から取得する取得手段と、
前記取得手段が取得した前記設定情報ファイルから特定の項目を検出する検出手段と、
前記検出手段が検出した特定の項目に自ら管理するデバイス情報を個別に設定する設定手段と、
前記実行手段が前記自動設置処理を終了したことを前記管理装置に通知する通知手段と、を備え、
前記実行手段は、前記設定手段が設定したデバイス情報を用いて前記設定情報ファイルに従う自動設置処理を実行することを特徴とする自動設置システム。
【請求項３】
前記管理装置は、
前記指示書を適用する設置モードが置き換えモードであるか、追加モードであるかを判断する第１の判断手段を備え、 
前記設置モードが置き換えモードであると判断した場合、前記編集手段は、前記情報処理装置が自ら設定する特定の項目を含まないように設定情報ファイルを編集し、前記設置モードが追加モードであると判断した場合、前記編集手段は、前記情報処理装置が自ら設定する特定の項目を含むように設定情報ファイルを編集することを特徴とする請求項２に記載の自動設置システム。
【請求項４】
前記設定情報ファイルを編集する編集画面を表示する表示手段と、 
前記編集画面で特定のデバイス機能をオプション指定されているかどうかを判断する第２の判断手段と、
前記特定のデバイス機能がオプションとして指定されていると判断した場合、前記編集画面で表示された前記オプション指定に対する編集指示を受け付けないように表示手段を制御する表示制御手段と、
を備えることを特徴とする請求項２に記載の自動設置システム。
【請求項５】
前記自ら管理するデバイス情報は、デバイス名称、デバイス番号を含むことを特徴とする請求項２に記載の自動設置システム。
【請求項６】
前記情報処理装置は、 
当該情報処理装置を特定するデバイス名称、デバイス番号を記憶する記憶手段を備え、前記設定手段は、前記検出手段が検出した特定の項目に前記記憶手段から読み出す前記デバイス名称、前記デバイス番号を設定することを特徴とする請求項２に記載の自動設置システム。
【請求項７】
管理装置と通信する情報処理装置であって、
前記管理装置から設定情報ファイルを取得する取得手段と、
前記取得した設定情報ファイルを用いて自動設置処理を実行する実行手段と、
前記設定情報ファイルに示される各設定項目を前記情報処理装置に設定するか否かの条件を記憶する記憶手段と、を備え、
前記管理装置から取得した設定情報ファイルが編集されたことを示す情報が該設定情報ファイルに含まれている場合、前記条件によらず、前記設定情報ファイルに示される設定項目のいずれもが前記情報処理装置に設定されることを特徴とする情報処理装置。
【請求項８】
管理装置と通信する情報処理装置の制御方法であって、
前記管理装置から設定情報ファイルを取得する取得工程と、
前記取得した設定情報ファイルを用いて自動設置処理を実行する実行工程と、
前記設定情報ファイルに示される各設定項目を前記情報処理装置に設定するか否かの条件を記憶する記憶工程と、を備え、
前記管理装置から取得した認定情報ファイルが編集されたことを示す情報が該設定情報ファイルに含まれている場合、前記条件によらず、前記設定情報ファイルに示される設定項目のいずれもが前記情報処理装置に設定されることを特徴とする情報処理装置の制御方法。
【請求項９】
請求項８に記載の情報処理装置の制御方法をコンピュータに実行させることを特徴とするプログラム。
【手続補正２】
【補正対象書類名】明細書
【補正対象項目名】発明の名称
【補正方法】変更
【補正の内容】
【発明の名称】自動設置システム、情報処理装置、情報処理装置の制御方法、及びプログラム
【手続補正３】
【補正対象書類名】明細書
【補正対象項目名】０００１
【補正方法】変更
【補正の内容】
【０００１】
本発明は、自動設置システム、情報処理装置、情報処理装置の制御方法、及びプログラムに関するものである。
【手続補正４】
【補正対象書類名】明細書
【補正対象項目名】０００９
【補正方法】変更
【補正の内容】
【０００９】
上記目的を達成する本発明の自動設置システムは以下に示す構成を備える。
管理装置と、情報処理装置とが通信する自動設置システムであって、前記管理装置は、他の情報処理装置に設定した設定情報ファイルを取得する取得手段と、前記取得した設定情報ファイルを前記情報処理装置における自動設置処理に用いるために、該設定情報ファイルの編集指示をユーザーから受け付ける受け付け手段と、前記情報処理装置からの取得要求に応じて、前記編集された設定情報ファイルを応答する応答手段と、を備え、前記情報処理装置は、前記管理装置から取得した前記設定情報ファイルを用いて前記自動設置処理を実行する実行手段と、前記設定情報ファイルに示される各設定項目を前記情報処理装置に設定するか否かの条件を記憶する記憶手段と、を備え、前記管理装置から取得した設定情報ファイルが編集されたことを示す情報が該設定情報ファイルに含まれている場合、前記条件によらず、前記設定情報ファイルに示される設定項目のいずれもが前記情報処理装置に設定されることを特徴とする。
【手続補正５】
【補正対象書類名】明細書
【補正対象項目名】００８５
【補正方法】変更
【補正の内容】
【００８５】
図１１は、本実施形態を示す管理装置の制御方法を説明するフローチャートである。特に、図１１の（Ａ）は、設置データ管理装置１０１によるＳ１０１０に示した編集処理の詳細例である。また、図１１の（Ｂ）は、図１１の（Ａ）に示すＵＩ生成処理の詳細例である。なお、各ステップは、ＣＰＵが記憶された制御プログラムを実行することで実現される。なお、各ステップは、設置データ管理装置１０１のＣＰＵ２０１が記憶された制御プログラム（ＵＩ制御部３０１、設置データ作成部３０３を含む）を実行することで実現される。